(57)【要約】【課題】異なるピット深さにも一台で対応可能なエレベータの梯子装置を提供する。【解決手段】ピット深さ寸法の大きいエレベータの場合は、係止部材４ａを取付けた縦材４１ｂを上部に固定し、またピット深さ寸法の小さいエレベータの場合は、係止部材４ａを取付けた縦材４１ｂを下部に固定すれば、縦材４１ｂの傾きを一定に安定した状態で設置することができ、異なるピット深さのエレベータでも一台の梯子装置４で対応することができる。【選択図】図１
2005314086.tif 000002
【特許請求の範囲】
【請求項１】
最下階乗場と昇降路底部との間に延設され略並行に設けられた一対の縦材と、前記一対の縦材を連結するよう前記縦材の長尺方向の複数位置に設けられる複数の足場材とを有して成るエレベータの梯子装置において、
前記最下階乗場の敷居溝に係止されるとともに前記縦材の任意の位置に着脱自在に装着される係止部材を設けて構成したことを特徴とするエレベータの梯子装置。
【請求項２】
請求項１の記載において、
前記係止部材に固定孔を設けると共に、前記縦材の長尺方向に長孔を設け、前記固定孔を前記長孔の任意の位置に合わせた状態で前記係止部材と縦材とを締結する締結具を設けて構成したことを特徴とするエレベータの梯子装置。
【請求項３】
請求項１もしくは請求項２の記載において、前記縦材は、最下階乗場と昇降路底部との間の寸法が最も大きいエレベータに対応可能な長さ寸法を有して構成したことを特徴とするエレベータの梯子装置。
【発明の詳細な説明】
【技術分野】
【０００１】
本発明は、最下階乗場と昇降路底部との間の出入りを可能とするエレベータの梯子装置に関する。
【背景技術】
【０００２】
一般的に保守点検時等において、最下階乗場と昇降路底部との間の出入りを要する時には、最下階乗場と昇降路底部との間に梯子を立て掛け、この梯子を用いて出入りを行なっていた（特許文献１参照）。
【特許文献１】特開２００２−０３７５５７公報（段落０１７、図３）
【発明の開示】
【発明が解決しようとする課題】
【０００３】
ところで、上記従来技術によれば、エレベータの機種に応じて最下階乗場から昇降路底部までの距離（以下、ピット深さという）が異なった場合、このピット深さごとに異なる長さの梯子装置を設けなければならず、コストアップの要因となる不都合があった。
【０００４】
本発明は、上記不都合を鑑みて為されたもので、その目的は、異なるピット深さにも一台で対応可能なエレベータの梯子装置を提供するにある。
【課題を解決するための手段】
【０００５】
本発明は上記目的を達成するために、最下階乗場と昇降路底部との間に延設され略並行に設けられた一対の縦材と、前記一対の縦材を連結するよう前記縦材の長尺方向の複数位置に設けられる複数の足場材とを有して成るエレベータの梯子装置において、前記最下階乗場の敷居溝に係止されるとともに前記縦材の任意の位置に着脱自在に装着される係止部材を設けて構成したことを特徴とする。
【０００６】
本発明によれば、最下階乗場の敷居溝に係止されるとともに前記縦材の任意の位置に着脱自在に装着される係止部材を設けてエレベータの梯子装置を構成したため、ピット深さ、寸法が大きいときには、前記縦材の上方位置に前記係止部材を装着させ、ピット深さ寸法が小さいときには、前記縦材の下方位置に前記系止部材を装着させれば、最下階乗場と昇降路底部との間に延設される縦材の傾きを一定に安定した状態で設置することができ、異なるピット深さのエレベータでも一台で対応することができる。
【発明の効果】
【０００７】
本発明によれば、このように、異なるピット深さにも一台で対応可能なエレベータの梯子装置を提供することができる。
【発明を実施するための最良の形態】
【０００８】
以下、本発明であるエレベータの梯子装置の一実施の形態について図１及び図４〜６を参照しながら説明する。
【０００９】
図１は本発明であるエレベータの梯子装置の取付状態を示す側断面図、図４は図１の要部拡大図、図５は図１の正面図、図６は本発明であるエレベータの梯子装置の収納状態を示す側断面図である。なお、各図中、同一符号は同一部位を示す。
【００１０】
図１及び図４〜６において、１は昇降路側面を示し、２は昇降路底部、３は最下階乗場の敷居、４は梯子装置を示す。５は昇降路側面１ａに折畳んだ状態の梯子装置４を収納する掛け金具、６は梯子装置４を折畳んで収納した時の領域を示し、７は出入口開口、８は乗場ドア、９は乗かごを示す。  また、この乗かご９はガイドレール１０に案内されて昇降するものである。
【００１１】
なお、エレベータの通常運転時には、図６に示す通り、乗かご９が昇降しても干渉しないように梯子装置４は、折畳んだ状態で収納領域６に収まっており、保守点検時等で使用する際には、掛け金具５より取り外して、図１に示す状態に展開し、最下階乗場１１と昇降路底部２との間に延設する。
【００１２】
そしてその際には、図１、４に示す通り、梯子装置４の、係止部材４ａを最下階乗場の敷居溝３ａに係止し、固定すれば、梯子装置４を安定した状態で保持することができる。
【００１３】
よってこの状態で使用すれば、作業者は安全に最下階乗場１１と昇降路底部２との間を出入することができる。
【００１４】
本発明であるエレベータの梯子装置４の構成について説明する。
【００１５】
このエレベータの梯子装置４は、最下階乗場１１と昇降路底部２との間に延設され略並行に設けられた一対の縦材４ｃと、前記一対の縦材４ｃを連結するよう前記縦材４ｃの長尺方向の複数位置に設けられる複数の足場材４ｂと、最下階乗場１１の敷居溝３ａに係止されるとともに前記縦材４ｃの任意の位置に着脱自在に装着される係止部材４ａと、前記収納時に前記縦材４ｃをこつ折りに折畳むことを可能にするヒンジ４ｄとを有して構成されている。
【００１６】
また前記係止部材４ａは、図３に示す通り前記最上部の足場材４１ｂに固定されており、この足場材４１ｂに設けた図示しない固定孔と、前記縦材４ｃの上部に設けた長孔４０ｃとを合わせて締結具４ｅで締結すれば、係止部材４ａを縦材４ｃ任意の高さ位置に装着することができる。
【００１７】
さらに前記縦材４ｃは、最下階乗場１１と昇降路底部２との間の寸法が最も大きいエレベータに対応可能な長さ寸法を有して構成してある。
【００１８】
従って、図２に示すようなピット深さ寸法の大きいエレベータの場合は、係止部材４ａを取付けた縦材４１ｂを図３の実線で示す位置に固定し、またピット深さ寸法の小さい図１で示したエレベータの場合は、係止部材４ａを取付けた縦材４１ｂを図３の破線で示す位置に固定すれば、縦材４１ｂの傾きを一定に安定した状態で設置することができ、異なるピット深さのエレベータでも一台の梯子装置４で対応することができる。
【００１９】
なお、ここで図２は本発明であるエレベータの梯子装置をピットの深いエレベータヘ取付けた状態を示す側断面図、図３は本発明であるエレベータの梯子装置の係止部材の構成を示す拡大図である。
【図面の簡単な説明】
【００２０】
【図１】本発明であるエレベータの梯子装置の取付状態を示す側断面図である。
【図２】本発明であるエレベータの梯子装置をピットの深いエレベータヘ取付けた状態を示す側断面図である。
【図３】本発明であるエレベータの梯子装置の係止部材の構成を示す拡大図である。
【図４】図１の要部拡大図である。
【図５】図１の正面図である．
【図６】本発明であるエレベータの梯子装置の収納状態を示す側断面図である。
【符号の説明】
【００２１】
２    昇降路底部
３ａ  最下階乗場の敷居溝
４    エレベータの梯子装置
４ａ  係止部材
４ｂ  足場材
４ｃ  縦材
４ｅ  締結具
４０ｃ  長孔、
１１    最下階乗場。
【図１】
2005314086.tif 000003
【図２】
2005314086.tif 000004
【図３】
2005314086.tif 000005
【図４】
2005314086.tif 000006
【図５】
2005314086.tif 000007
【図６】
2005314086.tif 000008